(57)【特許請求の範囲】
【請求項１】
水槽内の水中位置から水面上方の位置まで延びるように立設せしめたガイドバーに昇降可能に支持され、水槽内の水を攪拌する攪拌羽根を有する水中ミキサを水槽に対して搬入出するための水中ミキサの搬入出装置であって、
上記水中ミキサを吊り上げる吊上げ支柱が上記ガイドバーとは異なる位置に回転可能に立設され、
上記吊上げ支柱は、水中ミキサの略真上に延びかつ上記ガイドバーの上端よりも上側に位置するアーム部を有することを特徴とする水中ミキサの搬入出装置。
【請求項２】
請求項１の水中ミキサの搬入出装置において、
ガイドバーの上部を支持する支持ブラケットが設けられており、
上記支持ブラケットに吊上げ支柱が回転可能に立設されていることを特徴とする水中ミキサの搬入出装置。
【請求項３】
請求項２の水中ミキサの搬入出装置において、
支持ブラケットにガイドバーの上部が軸部にて回動可能に支持されていて、該軸部回りのガイドバーの回動により水中ミキサの向きが可変とされ、
吊上げ支柱は支持ブラケットに上記ガイドバーの軸部と同心状に立設されていることを特徴とする水中ミキサの搬入出装置。
【請求項４】
請求項１の水中ミキサの搬入出装置において、
ガイドバーの上部を該ガイドバーの軸部にて回転可能に支持する支持ブラケットが設けられていて、該軸部回りのガイドバーの回転により水中ミキサの向きが可変とされ、
上記ガイドバーの軸部は上記支持ブラケットに貫通状態で支持されていて、該軸部に吊上げ支柱が回転可能に立設されていることを特徴とする水中ミキサの搬入出装置。
【請求項５】
請求項１〜４のいずれか１つの水中ミキサの搬入出装置において、
吊上げ支柱は着脱可能であることを特徴とする水中ミキサの搬入出装置。
【発明の詳細な説明】
【０００１】
【発明の属する技術分野】
本発明は、下水処理場、各種工場等での貯水場、池湖水、濠、養魚場等の水槽において、その貯留水を攪拌するために使用される水中ミキサを水槽に対し搬入出するための搬入出装置に関する技術分野に属する。
【０００２】
【従来の技術】
従来より、下水処理場、各種工場等での貯水場、池湖水、濠、養魚場等の水槽においては、その貯留水の浄化等のために、水槽内の貯留水中に水中ミキサを沈めて設置し、この水中ミキサの作動により貯留水を攪拌することは知られており、例えば貯留水の攪拌により、下水処理場では汚泥の沈降防止や浮遊スカムの破壊、池湖水では沈滞防止等を図ることができる。水中ミキサは、ボス部に一体的に設けられた複数枚の攪拌羽根と、そのボス部に出力軸が直結されたモータとを備え、モータの駆動による攪拌羽根の回転により貯留水中に旋回流を発生させるようになっており、場合によっては貯留水の旋回流に空気を吹き込んで拡散させるためのブロワが水中ミキサに接続される。
【０００３】
このような水中ミキサを水槽内に設置する場合、例えば特開２０００―１６７３７５号公報に示されるように、水槽内の水中位置から水面の上方位置まで延びるように水槽の側壁に沿ってガイドバー（案内支柱）を立設し、このガイドバーに支持台をスライド部材を介してスライド可能に支持し、この支持台に水中ミキサを取付固定することが行われている。上記ガイドバーには、水中ミキサの作動時に貯留水からの反力（スラスト力）が作用するため、その上部は水槽の側壁に取付固定した支持ブラケットに、また下部は水槽の側壁又は水槽の底部（槽底）に取付固定した支持ブラケットにそれぞれ支持される。また、このガイドバーを上記上下の両支持ブラケットに対し上下方向の軸心回りに回動可能に支持することで、水中ミキサの向きを変えるようにすることも行われている。
【０００４】
そして、この水中ミキサには吊下げ部材としての吊下げチェーンの下端部が連結されており、水中ミキサの深さを変えるときには、吊下げチェーンを引き上げて水中ミキサをガイドバーに沿って上昇させるか、或いは吊下げチェーンを緩めて水中ミキサを自重によりガイドバーに沿って下降させることで、目的の深さ位置に移動させ、その位置で水中ミキサを吊下げチェーンによりそれが張った状態で吊下げ保持するようにしている。また、水中ミキサを保守点検等のために水中から取り出すときには、吊下げチェーンを引き上げて水中ミキサをガイドバーに沿って上昇させることで、貯留水中から取り出す一方、保守点検後や設置時に水中ミキサを貯留水中に沈めるときには、上記とは逆に、吊下げチェーンを緩めると、水中ミキサは自重によりガイドバーに沿って下降移動して所定の深さ位置に保持される。
【０００５】
ところで、上記のように水中ミキサを水中から取り出す搬出時には、吊下げチェーンの上端を連結するための部材が必要であり、そのために、ガイドバーの上端部に吊上げ支柱を設けることが知られている。すなわち、従来、この吊上げ支柱は、ガイドバーの上端部が上方に延長された延長部と、この延長部の上端（先端）から水平横方向に水中ミキサの略真上位置に延びるアーム部とからなり、このアーム部に吊下げチェーンの上端部が掛けられるチェーンブロック等を吊り下げ、そのチェーンブロック等の作動により吊下げチェーンを引き寄せることにより、水中ミキサをガイドバーに沿って上昇させて水中から引き上げるようになっている。
【０００６】
【発明が解決しようとする課題】
しかし、上記従来のものでは、ガイドバーが上方に延長されて吊上げ支柱が設けられているので、その吊上げ支柱により水中ミキサを吊り上げただけでは、水中ミキサをガイドバーから取り外すことはできない。このため、水中ミキサの保守点検等を行うときには、吊上げ支柱により吊り上げた水中ミキサの下側に何らかの受台を挿入して、その受台上に水中ミキサを降ろし、その後に水中ミキサを吊下げチェーンから外して保守点検を行う必要がある。例えば、ガイドバーが水槽の開口を通って上方に延び、その開口が常時は封蓋されている場合には、その蓋を開けた状態で開口を経由して水中ミキサを吊上げ支柱により吊り上げ、その吊上げの後に再度蓋をしてその上に水中ミキサを降ろすことが必要となる。この場合には、水中ミキサを吊り下げたままで、その下側で蓋を閉じる作業をせねばならず、困難な作業となる。
【０００７】
また、吊上げ支柱により吊り上げた水中ミキサを他の搬出機（例えば他のチェーンブロックやフォークリフト等）に移載することもできるが、その場合は、搬出機に移載した水中ミキサをガイドバーと分離させるべく、スライド部材を分解してガイドバーから取り外すことが必要で、大掛かりな作業となる。
【０００８】
そして、保守点検後等に水中ミキサを水槽内に搬入する場合にも上記と逆の手順の作業が必要であり、同様の問題が生じるのは避けられない。
【０００９】
本発明は斯かる点に鑑みてなされたものであり、その目的は、吊上げ支柱の構造に改良を加えることにより、その吊上げ支柱により吊り上げた水中ミキサを水槽に対し容易に搬入出できるようにすることにある。
【００１０】
【課題を解決するための手段】
上記の目的を達成するために、この発明では、吊上げ支柱をガイドバーとは異なる位置に回転可能に立設するようにした。
【００１１】
具体的には、請求項１の発明では、水槽内の水中位置から水面上方の位置まで延びるように立設せしめたガイドバーに昇降可能に支持され、水槽内の水を攪拌する攪拌羽根を有する水中ミキサを水槽に対して搬入出するための水中ミキサの搬入出装置として、上記水中ミキサを吊り上げる吊上げ支柱が上記ガイドバーとは異なる位置に回転可能に立設され、上記吊上げ支柱は、水中ミキサの略真上に延びかつ上記ガイドバーの上端よりも上側に位置するアーム部を有することを特徴とする。
【００１２】
上記の構成によると、水中ミキサを水槽から搬出する場合には、吊上げ支柱において水中ミキサの略真上に延びてガイドバー上端よりも上側に位置するアーム部に水中ミキサを吊って引き上げると、その水中ミキサがガイドバーに沿って上昇して水中から取り出される。そして、吊上げ支柱はガイドバーとは異なる位置に立設されているので、水中ミキサは、ガイドバーを上昇した後にその上端から抜け出てアーム部に宙吊り状態となる。また、吊上げ支柱は回転可能であるので、この吊上げ支柱をアーム部での上記水中ミキサの宙吊り状態のままで回転させれば、水中ミキサは、ガイドバーに沿って昇降する位置の真上から他の位置に旋回して水槽周りの床面上方に移動し、その後に水中ミキサが下降して床面上に載置される。一方、この水中ミキサを水槽内に搬入するときには、上記搬出時と逆の動作を行えばよい。従って、水中ミキサの搬入出時に水槽の蓋を水中ミキサの載置のために閉じる作業、水中ミキサをガイドバーの中間部で分離する作業、他の搬出機による搬入出作業等が全く不要となり、水中ミキサの水槽に対する搬入出作業を容易にかつ簡単に行うことができる。
【００１３】
請求項２の発明では、ガイドバーの上部を支持する支持ブラケットが設けられ、この支持ブラケットに吊上げ支柱が回転可能に立設されているものとする。このことで、吊上げ支柱の立設位置を具体化でき、上記請求項１の発明と同様の作用効果が得られる。
【００１４】
請求項３の発明では、上記支持ブラケットにガイドバーの上部が軸部にて回動可能に支持されていて、この軸部回りのガイドバーの回動により水中ミキサの向きが可変とされ、吊上げ支柱は支持ブラケットに上記ガイドバーの軸部と同心状に立設されている構成とする。
【００１５】
このことで、ガイドバーが軸部回りに回動可能であることを利用し、その軸部を支持する支持ブラケットに軸部と同心状に吊上げ支柱を立設することで、支持ブラケットに吊上げ支柱を支持するための支柱受部をガイドバーの軸部に対する軸受部とは別個に設ける必要はなく、支持ブラケットでの吊上げ支柱の支持構造を簡単なものにすることができる。
【００１６】
請求項４の発明では、上記請求項１の水中ミキサの搬入出装置において、ガイドバーの上部を該ガイドバーの軸部にて回転可能に支持する支持ブラケットが設けられていて、該軸部回りのガイドバーの回転により水中ミキサの向きが可変とされ、上記ガイドバーの軸部は上記支持ブラケットに貫通状態で支持されていて、該軸部に吊上げ支柱が回転可能に立設されているものとする。
【００１７】
こうすると、吊上げ支柱は支持ブラケットではなくて軸部によりガイドバーに支持され、吊上げ支柱に水中ミキサを吊り上げ支持したときの荷重がガイドバーにかかり、そのガイドバーが水槽の槽底に支持されているときには吊上げ荷重を槽底で受けることとなり、支持ブラケットの強度を増大させずとも済み、その構造を簡略にすることができる。
【００１８】
請求項５の発明では、上記吊上げ支柱は着脱可能とする。このことで、水中ミキサの搬入出を行わない不要時には吊上げ支柱を取り外しておけばよく、水中ミキサの搬入出以外の各種作業で邪魔になることはない。
【００１９】
【発明の実施の形態】
（実施形態１）
図２は本発明の実施形態１に係る水中ミキサの搬入出機構（搬入出装置）の全体構造を示し、Ｐは水槽で、例えば下水処理場、各種工場等での貯水場、池湖水、濠、養魚場等からなる。この水槽Ｐの側壁Ｐ１にはガイドバー１が水槽Ｐ内の水中位置たる槽底Ｐ２から水面Ｗよりも上方の位置たる水槽Ｐ周りの床面Ｐ３近くまで延びるように立設され、このガイドバー１の上部は支持ブラケットとしての上部ブラケット１１により、また下端部は下部ベース１７によりそれぞれ支持されている。
【００２０】
すなわち、図１に拡大して示すように、ガイドバー１は、中空角筒状のガイドバー本体２と、このガイドバー本体２の上下部において後側面の幅方向中央部にそれぞれ支持部３，４を介して一体固定され、ガイドバー本体２と平行にかつ互いに同心状に配置された円筒状の上下の軸部５，６とを有する。
【００２１】
また、上部ブラケット１１は、水槽Ｐの側壁Ｐ１において水面Ｗの上方位置にアンカボルトＢ，Ｂ，…を介して取付固定された板状の取付部１２と、この取付部１２の表面に基端部にて突設された水平横方向に延びる連結部１３と、この連結部１３の先端部に一体形成され、上下方向の軸線を持つ円筒状の軸受部１４とを備え、この軸受部１４の下半部は取付部１２及び連結部１３よりも下側に突出し、この下半部に上記ガイドバー１の上側軸部５が回転可能に外嵌合状態で支持されている。
【００２２】
一方、下部ベース１７は、水槽Ｐ内の水中位置たる槽底Ｐ２にアンカボルトＢ，Ｂ，…を介して取付固定された板状の取付部１８と、この取付部１８の上面に上記上部ブラケット１１の軸受部１４の直下方に位置するように配置されて突設され、上下方向の軸線を持つ円筒状の軸受部１９とを備え、この軸受部１９に上側から上記ガイドバー１の下側軸部６が回転可能に嵌合支持されている。尚、このガイドバー１の下側軸部６の下半部外周には上半部よりも小径の小径部６ａが段差状に形成され、この小径部６ａが下部ベース１７の軸受部１９に段差部６ｂを軸受部１９上端面と当接せしめた状態で、つまり小径部６ａの下端が軸受部１９の底部（取付部１８）から離れるように嵌挿支持されている。
【００２３】
尚、水槽Ｐが池湖水、濠、養魚場等であって、その側壁Ｐ１や槽底Ｐ２が土である場合には、例えば側壁Ｐ１や槽底Ｐ２にコンクリートによりアンカボルトＢ，Ｂ，…を植え込めばよい。
【００２４】
そして、このようなガイドバー１の支持構造により、ガイドバー１が上下の軸部５，６にて上下方向の軸線回りに回動可能に支持され、このことで後述する水中ミキサ２２がガイドバー１と共に揺動して、その向きが変更可能とされている。尚、９はガイドバー１に回転一体に設けられたハンドルで、水中ミキサ２２の向きを調整するためのものである。
【００２５】
上記ガイドバー１には水中ミキサ２２が昇降可能に支持されている。この水中ミキサ２２は、ボス部２３に一体的に設けられた複数枚（図示例では３枚）の攪拌羽根２４，２４，…と、上記ボス部２３に出力軸（図示せず）が直結された電動モータ２５と、このモータ２５のハウジングに固定支持された状態で、攪拌羽根２４，２４，…の周りに配置された先細りテーパリング状の案内板２６とを備え、モータ２５の駆動による攪拌羽根２４，２４，…の回転により貯留水中に旋回流を発生させるようになっている。
【００２６】
上記モータ２５のハウジング後端部には水中ミキサ２２をガイドバー１に昇降可能に支持するためのスライド部材２７が一体的に取付固定されている。このスライド部材２７は、図３に示すように、ガイドバー１を取り囲むようにその前側から嵌合されるコ字状のスライド部材本体２８を備え、このスライド部材本体２８は前板部にてモータ２５のハウジング後端部に取付固定されている。スライド部材本体２８の前板部背面（内面）にはガイドバー本体２の前面に摺接する樹脂製摺接板２９が取付固定されている一方、左右側板部の後端部（先端部）の上下両端位置には互いに左右方向に対向する位置にガイドバー本体２の後面に当接して転動する２対のガイドローラ３０，３０，…が回転自在に軸支されており、スライド部材本体２８内に対しガイドバー本体２を樹脂製摺接板２９がガイドバー本体２の前面に、またガイドローラ３０，３０，…がガイドバー本体２の後面にそれぞれ当接するように嵌挿して、摺接板２９及び上下２対のガイドローラ３０，３０，…によりスライド部材２７をガイドバー本体２に支持し、その状態で摺接板２９の摺接及び各ガイドローラ３０の転動によりスライド部材２７及び水中ミキサ２２をガイドバー１に沿って昇降できるようにしている。
【００２７】
また、上記水中ミキサ２２におけるモータ２５のハウジングには吊下げ部材としての吊下げチェーン３１の下端部が取り付けられ、この吊下げチェーン３１は上方に延びていてその上端部は上部ブラケット１１に係止保持されている。尚、この吊下げチェーン３１にはモータ２５への給電ケーブル３２が一体的に係止保持されている。
【００２８】
さらに、上記ガイドバー１に昇降可能に支持されている水中ミキサ２２を水槽Ｐに対して搬入出するために、その水中ミキサ２２を吊り上げる吊上げ支柱３５が上記ガイドバー１（ガイドバー本体２）とは異なる位置、具体的には上記上部ブラケット１１に回転可能に立設されている。すなわち、この吊上げ支柱３５は、上下方向に延びる支柱部３６と、この支柱部３６の上端に基端部が一体的に固定され、先端部が水中ミキサ２２の略真上に水平横方向に延びるアーム部３７とを備え、このアーム部３７の先端寄りには係止用チェーン３８が吊り下げられ、この係止用チェーン３８の下端部にはフック３９が取り付けられており、水中ミキサ２２を水槽Ｐ内の貯留水中に対し搬入出する際、係止用チェーン３８下端部のフック３９に吊上げ装置として例えばチェーンブロック（図示せず）を係止して吊り下げ、このチェーンブロックに上記吊下げチェーン３１を係止するようにしている（チェーンブロック以外の他の吊上げ装置を用いてもよい）。
【００２９】
そして、図１にも示すように、上記吊上げ支柱３５の支柱部３６は円筒状のもので、その下端部の外周には上部よりも小径の小径部３６ａが段差状に形成され、この小径部３６ａが上記上部ブラケット１１の軸受部１４内に上側から段差部３６ｂを軸受部１４上端面と当接せしめた状態で抜き出し可能に嵌挿支持されている。このことで、吊上げ支柱３５はその支柱部３６が上部ブラケット１１にガイドバー１の上側軸部５と同心状となるように立設されている。また、吊上げ支柱３５は上部ブラケット１１に対し着脱可能とされている。
【００３０】
次に、上記実施形態において、水中ミキサ２２を保守点検等のために水槽Ｐ内の貯留水から搬出する場合を説明すると、予め、吊上げ支柱３５のアーム部３７を水槽Ｐ周りの床面Ｐ３上に位置付けて、そのアーム部３７から吊り下げられている係止用チェーン３８下端のフック３９に例えばチェーンブロックを掛け、このチェーンブロックに対し、上部ブラケット１１に係止保持されている吊下げチェーン３１の上端部を巻き掛ける。この後、上部ブラケット１１の軸受部１４に回転可能に支持されている上記吊上げ支柱３５を略半回転させて、そのアーム部３７を水中にある水中ミキサ２２の略真上位置に位置付け、チェーンブロックの作動により吊下げチェーン３１を巻き上げると、この吊下げチェーン３１に係止されている水中ミキサ２２がガイドバー１のガイドバー本体２に沿って上昇して水中から抜け出る。
【００３１】
そして、上記吊上げ支柱３５はガイドバー１の真上位置に連続して形成されておらず、そのガイドバー本体２とは異なる位置である、上部ブラケット１１の軸受部１４に立設されているので、ガイドバー本体２の上端部は上方に開放された構造となっている。このため、上記水中ミキサ２２をさらに引き上げると、その水中ミキサ２２のスライド部材２７がガイドバー本体２の開放された上端部から抜け出して、水中ミキサ２２が吊上げ支柱３５に係止用チェーン３８、フック３９、チェーンブロック及び吊下げチェーン３１を介して宙吊りされた状態となる。次いで、この水中ミキサ２２の宙吊り状態のままで吊上げ支柱３５を略半回転だけ回転させると、その水中ミキサ２２は宙吊りされたままで、ガイドバー１の略真上位置から水槽Ｐ周りの床面Ｐ３上の位置に移動する。その後、チェーンブロックにより水中ミキサ２２が下降されて床面Ｐ３上に載置される。この状態で水中ミキサ２２の保守点検等を行えばよい。
【００３２】
一方、この保守点検等の終了後に水中ミキサ２２を水槽Ｐ内に搬入する場合（水中ミキサ２２を新しく設置する場合でも同様である）には、上記搬出時と逆の動作を行えばよい。すなわち、水槽Ｐ周りの床面Ｐ３上にある水中ミキサ２２に繋がっている吊下げチェーン３１を、吊上げ支柱３５のフック３９に係止されているチェーンブロックに掛け、このチェーンブロックにより水中ミキサ２２を吊上げ支柱３５に吊り上げて宙吊り状態とする。この状態で吊上げ支柱３５を略半回転させてガイドバー１の略真上位置（水面Ｗ上方）に移動させ、チェーンブロックにより水中ミキサ２２を下降させながら、そのスライド部材２７をガイドバー１のガイドバー本体２に上端部から嵌合する。このガイドバー本体２にスライド部材２７が嵌合された後、チェーンブロックにより水中ミキサ２２を下降させると、その水中ミキサ２２はスライド部材２７でガイドバー本体２にガイドされながら自重により下降移動して水中に沈められる。そして、水中ミキサ２２が所定の深さ位置に達すると、吊下げチェーン３１をチェーンブロックから外して上部ブラケット１１に係止固定し、このことで水中ミキサ２２は吊下げチェーン３１に吊り下げられた状態で所定の深さ位置に保持される。
【００３３】
したがって、この実施形態においては、水中ミキサ２２の搬入出時、水槽Ｐが蓋で閉じられている場合にその蓋を水中ミキサ２２の載置のために閉じる作業、水中ミキサ２２をガイドバーの中間部で分離する作業、他の搬出機による搬入出作業等が全く不要となり、水中ミキサ２２の水槽Ｐに対する搬入出作業を容易にかつ簡単に行うことができる。
【００３４】
また、上記吊上げ支柱３５は、ガイドバー１の上部を上側軸部５にて支持する上部ブラケット１１の軸受部１４に、ガイドバー１の上側軸部５と同心状となるように立設されているので、上部ブラケット１１に吊上げ支柱３５を支持するための支柱受部１５（後述の実施形態３参照）をガイドバー１の上側軸部５に対する軸受部１４とは別個に設ける必要がなく、上部ブラケット１１での吊上げ支柱３５の支持構造を簡単なものにすることができる。
【００３５】
さらに、吊上げ支柱３５は、支柱部３６と、その上端から水中ミキサ２２の略真上に延びるアーム部３７とを有するものであるので、吊上げ支柱３５により水中ミキサ２２を容易に吊上げ支持することができる。
【００３６】
また、上記吊上げ支柱３５は上部ブラケット１１の軸受部１４に着脱可能に立設されているので、水中ミキサ２２の搬入出を行わない不要時には吊上げ支柱３５を上部ブラケット１１の軸受部１４から取り外しておけばよく、水中ミキサ２２の搬入出以外の各種作業で邪魔になることはない。
【００３７】
（実施形態２）
図４は本発明の実施形態２を示し（尚、以下の各実施形態では、図１〜図３と同じ部分については同じ符号を付してその詳細な説明は省略する）、上記実施形態１では吊上げ支柱３５を上部ブラケット１１の軸受部１４に嵌合した状態で立設しているのに対し、ガイドバー１の上側軸部５に立設するようにしたものである。
【００３８】
すなわち、この実施形態では、ガイドバー１の上側軸部５は上部ブラケット１１の軸受部１４と略同径の円筒状の軸部本体７と、この軸部本体７に嵌合された連結軸部８とを有する。軸部本体７の内面には上端から下端部寄りまでを上部ブラケット１１の軸受部１４内径と同径となるように段差状に拡径してなる大径部７ａが形成され、この大径部７ａに上記連結軸部８の下半部がその下端部を大径部７ａの下端部で係止させた状態で回転可能に嵌合されている。連結軸部８の上半部は上部ブラケット１１の軸受部１４内に回転可能に嵌合されている。このような構造により、ガイドバー１の上側軸部５における連結軸部８が上部ブラケット１１の軸受部１４に貫通状態で支持されていて、ガイドバー１の上部は上側軸部５の連結軸部８により上部ブラケット１１の軸受部１４に回転可能に支持されている。
【００３９】
そして、吊上げ支柱３５における支柱部３６の下端外周の小径部３６ａは、上記ガイドバー１の上側軸部５における連結軸部８内に上側から支柱部３６の段差部３６ｂを連結軸部８上端面と当接せしめた状態で抜き出し可能に嵌挿支持されている。このことで、吊上げ支柱３５はガイドバー１の上側軸部５に回転可能に立設されている。その他の構成は上記実施形態１と同様である。
【００４０】
したがって、この実施形態でも上記実施形態１と同様の作用効果を奏することができる。特に、この実施形態の場合、吊上げ支柱３５は上記実施形態１のように上部ブラケット１１ではなく、上側軸部５の軸部本体７及び連結軸部８によりガイドバー１に支持されているため、吊上げ支柱３５に水中ミキサ２２を吊り上げて支持した状態では、その吊上げ荷重がガイドバー１にかかる。そして、このガイドバー１は下端部が下側軸部６及び下部ベース１７を介して水槽Ｐの槽底Ｐ２に支持されているので、吊上げ荷重を槽底Ｐ２で受けることができ、吊上げ荷重を受けるために上部ブラケット１１の強度を増大させる必要がなく、その分、構造を簡略にすることができる。
【００４１】
（実施形態３）
図５は本発明の実施形態３を示し、上記実施形態１では上部ブラケット１１の軸受部１４に吊上げ支柱３５を立設しているのに対し、その軸受部１４とは異なる位置に吊上げ支柱３５を立設したものである。
【００４２】
すなわち、この実施形態では、上部ブラケット１１における連結部１３の途中（ガイドバー１の上側軸部５を支持する軸受部１４よりも取付部１２側）に、軸受部１４と同様に上下方向の軸線を持つ円筒状の支柱受部１５が形成されている。そして、吊上げ支柱３５における支柱部３６の下端外周の小径部３６ａは、上記上部ブラケット１１における連結部１３の途中の支柱受部１５内に上側から支柱部３６の段差部３６ｂを支柱受部１５上端面と当接せしめた状態で抜き出し可能に嵌挿支持されている。このことで、吊上げ支柱３５は上部ブラケット１１に回転可能に立設されている。
【００４３】
その他の構成は上記実施形態１と同様であり、よって、この実施形態でも上記実施形態１と略同様の作用効果が得られる。
【００４４】
尚、上記各実施形態では、吊上げ支柱３５を上部ブラケット１１又はガイドバー１の上側軸部５に立設しているが、吊上げ支柱３５の立設位置はこれらに限定されず、要は、吊上げ支柱３５をガイドバー１とは異なる位置に回転可能に立設すればよい。
【００４５】
また、上記各実施形態では、吊上げ支柱３５を着脱可能としているが、着脱不能（但し、回転は可能とする）に立設することもできる。
【００４６】
さらに、上記各実施形態では、ガイドバー１が軸部５，６回りに揺動可能であるが、本発明はガイドバーが揺動しないタイプのものに対しても適用できるのは勿論のことである。
【００４７】
【発明の効果】
以上説明したように、請求項１の発明によると、水槽の水中位置から水面上方の位置まで延びるガイドバーに昇降可能に支持された水中ミキサを水槽に対し搬入出するための水中ミキサの搬入出装置として、水中ミキサの略真上に延びかつガイドバーの上端よりも上側に位置するアーム部を有していて、水中ミキサを吊り上げる吊上げ支柱をガイドバーとは異なる位置に回転可能に立設したことにより、吊上げ支柱により水中ミキサをガイドバーの上端から抜け出た宙吊り状態として回転させて、ガイドバーに沿って昇降する位置の略真上と水槽の開口外の床面上方との間で移動でき、水中ミキサの水槽に対する搬入出作業を容易にかつ簡単に行うことができる。
【００４８】
請求項２の発明によると、ガイドバーの上部を支持する支持ブラケットに吊上げ支柱を回転可能に立設したことにより、吊上げ支柱の立設位置を具体化できる。
【００４９】
請求項３の発明によると、支持ブラケットにガイドバーの上部が軸部にて回動可能に支持されている場合に、吊上げ支柱を支持ブラケットにガイドバーの軸部と同心状に立設したことにより、支持ブラケットに吊上げ支柱を支持するための支柱受部をガイドバーの軸部に対する軸受部とは別個に設ける必要がなく、支持ブラケットでの吊上げ支柱の支持構造を簡単なものにすることができる。
【００５０】
請求項４の発明によると、支持ブラケットにガイドバーの上部が軸部にて回動可能に支持されている場合に、ガイドバーの軸部を支持ラケットに貫通状態で支持して、その軸部に吊上げ支柱を回転可能に立設したことにより、吊上げ支柱に水中ミキサを吊り上げ支持したときの荷重をガイドバーに作用させることができ、支持ブラケットの強度を増大させずとも済み、その構造を簡略にすることができる。
【００５１】
請求項５の発明によると、吊上げ支柱を着脱可能としたことにより、水中ミキサの搬入出以外の各種作業時に吊上げ支柱が邪魔になるのを防止することができる。
【図面の簡単な説明】
【図１】  本発明の実施形態１における吊上げ支柱の支持構造を拡大して示す断面図である。
【図２】  本発明の実施形態１に係る水中ミキサの搬入出機構の全体構造を示す斜視図である。
【図３】  スライド部材の拡大斜視図である。
【図４】  実施形態２を示す図１相当図である。
【図５】  実施形態３を示す図１相当図である。
【符号の説明】
Ｐ  水槽
１  ガイドバー
５  上側軸部
６  下側軸部
８  連結軸部
１１  上部ブラケット（支持ブラケット）
１４  軸受部
１５  支柱受部
１７  下部ベース
２２  水中ミキサ
２４  攪拌羽根
２５  モータ
２７  スライド部材
３１  吊下げチェーン
３５  吊上げ支柱
３６  支柱部
３７  アーム部
【図１】
0004585710.tif 000002
【図２】
0004585710.tif 000003
【図３】
0004585710.tif 000004
【図４】
0004585710.tif 000005
【図５】
0004585710.tif 000006